【事件の表示】
　上記当事者間の特許第５６６５１９１号発明「車両用サンバイザの製造方法」の特許無効審判事件について、次のとおり審決する。
【結　論】
　特許第５６６５１９１号の特許請求の範囲を訂正請求書に添付された特許請求のとおり、訂正後の請求項１、２について訂正することを認める。
　特許第５６６５１９１号の請求項１に係る発明についての特許を無効とする。
　特許第５６６５１９１号の請求項２に係る発明についての審判請求は、成り立たない。
　審判費用は、その２分の１を請求人の負担とし、２分の１を被請求人の負担とする。
【理　由】
第１　手続の経緯
１　手続の経緯の概要
　本件の特許第５６６５１９１号についての手続の経緯の概要は、以下のとおりである。
　平成２３年　５月１７日　　　特願２０１１−１１０４６７号出願
　平成２６年１２月１９日　　　特許第５６６５１９１号の設定登録
　平成２７年　３月　９日　　　審判請求書提出（請求人）
　平成２７年　５月２２日　　　審判事件答弁書提出（被請求人）
　平成２７年　８月　４日付け　審理事項通知
　平成２７年　９月　７日　　　参加申請書提出
　平成２７年　９月２４日　　　口頭審理陳述要領書提出（請求人）
　平成２７年　９月２４日　　　口頭審理陳述要領書提出（被請求人）
　平成２７年１０月　５日　　　口頭審理陳述要領書提出（被請求人）
　平成２７年１０月　８日　　　第１回口頭審理
　平成２７年１０月１４日付け　参加許否の決定 
　平成２７年１０月２８日　　　上申書提出（請求人） 
　平成２７年１０月２９日付け　承諾書提出（被請求人） 
　平成２７年１１月　４日　　　請求取下書提出（請求人） 
　平成２７年１１月１２日　　　上申書提出（被請求人） 
　平成２７年１１月１９日　　　上申書（２）提出（参加人） 
　平成２７年１１月２０日　　　上申書(請求人主張の援用)提出（参加人）
　平成２８年　３月１７日付け　補正許否の決定
　平成２８年　３月２８日付け　審決の予告
　平成２８年　５月３１日　　　訂正請求書提出（被請求人）
　平成２８年　５月３１日　　　上申書提出（被請求人）
　平成２８年　６月２４日　　　弁駁書提出（参加人）
　平成２８年１０月　３日付け　補正許否の決定
　平成２８年１１月　２日　　　審判事件答弁書提出（被請求人）
　平成２９年　１月１６日　　　上申書提出（被請求人）
　なお、平成２７年１１月２０日提出の上申書（請求人主張の援用）のとおり、参加人は証拠を含め請求人の主張を全て援用しており、以下、請求取下書提出前の請求人の主張部分については、参加人の主張として表記する。
第２　平成２８年５月３１日付けの訂正請求の可否
１　訂正請求の趣旨及び訂正の内容
　平成２８年５月３１日付け訂正請求書により被請求人が求める訂正は、本件特許の明細書、特許請求の範囲及び図面を訂正請求書に添付した訂正明細書、訂正特許請求の範囲及び図面のとおり請求項１及び請求項２ごとに訂正しようとするものであって、その内容は次のとおりである。
　なお、下線は訂正箇所を示す。
（１）訂正事項１
　特許請求の範囲の請求項１に「外表面に印刷表示を有している車両用サンバイザの製造方法であって、」とあるのを、 
「
発泡芯材と前記発泡芯材を被覆して外表面を構成する塩化ビニールの表皮を備えるサンバイザ本体を有する車両用サンバイザの組立完成体の塩化ビニールからなる前記
　
前記発泡芯材は、発泡ビーズを発泡成形して凹凸が発生した発泡芯材であり、
（２）訂正事項２
　特許請求の範囲の請求項２に「外表面に印刷表示を有している車両用サンバイザの製造方法であって、」とあるのを、
「
ミラーユニットを収容保持する収容凹所が形成された発泡芯材と前記発泡芯材を被覆して外表面を構成する塩化ビニールの表皮を備えるサンバイザ本体と、前記収容凹所に収容保持された外表面の一部を構成するポリプロピレン樹脂のカバーを備える前記ミラーユニットと、を有する車両用サンバイザの組立完成体の前記外表面の一部を構成する前記カバーのカバー外面
　
前記発泡芯材は、発泡ビーズを発泡成形して凹凸が発生した発泡芯材であり、
（３）訂正事項３
　特許請求の範囲の請求項２に「プライマリー処理」とあるのを、
「プライ
マー
２　訂正の適否
（１）訂正事項１について 
　訂正事項１に係る訂正は、「外表面に印刷表示を有している車両用サンバイザの製造方法であって、」について、外表面は「発泡芯材と前記発泡芯材を被覆して外表面を構成する塩化ビニールの表皮を備えるサンバイザ本体を有する車両用サンバイザの組立完成体の塩化ビニールからなる」もので、「前記発泡芯材は、発泡ビーズを発泡成形して凹凸が発生した発泡芯材であ」るという発明特定事項を付加して、当該「外表面」の構造、並びに、当該「印刷表示を有している車両用サンバイザ」の材料及び構造を限定する訂正であるから、特許法第１３４条の２第１項ただし書第１号の「特許請求の範囲の減縮」を目的とするものに該当する。
　本件特許の願書に添付した明細書の段落【０００３】、【０００９】、【００１０】、【００１８】、【００２２】及び【００２３】を参照すると、当該訂正は、本件特許の願書に添付した明細書、特許請求の範囲又は図面に記載した事項の範囲内においてしたものであり、また、当該訂正は、実質上特許請求の範囲を拡張し、又は変更するものに該当せず、特許法第１３４条の２第９項で準用する同法第１２６条第５項及び第６項に規定する要件を満たすものである。
（２）訂正事項２について
　訂正事項２に係る訂正は、「外表面に印刷表示を有している車両用サンバイザの製造方法であって、」について、外表面に印刷表示を有していることは「ミラーユニットを収容保持する収容凹所が形成された発泡芯材と前記発泡芯材を被覆して外表面を構成する塩化ビニールの表皮を備えるサンバイザ本体と、前記収容凹所に収容保持された外表面の一部を構成するポリプロピレン樹脂のカバーを備える前記ミラーユニットと、を有する車両用サンバイザの組立完成体の前記外表面の一部を構成する前記カバーのカバー外面に」印刷表示を有しているもので、「前記発泡芯材は、発泡ビーズを発泡成形して凹凸が発生した発泡芯材であ」るという発明特定事項を付加して、当該「外表面」の材料及び構造、当該「外面」の材料及び構造、当該「外面」と当該「外表面」との関係、並びに、当該「印刷表示を有している車両用サンバイザ」の材料及び構造を限定する訂正であるから、特許法第１３４条の２第１項ただし書第１号の「特許請求の範囲の減縮」を目的とするものに該当する。
　本件特許の願書に添付した明細書の段落【０００３】、【０００９】、【００１０】、【００１１】、【００１８】、【００１９】、【００２２】及び【００２３】を参照すると、当該訂正は、本件特許の願書に添付した明細書、特許請求の範囲又は図面に記載した事項の範囲内においてしたものであり、また、当該訂正は、実質上特許請求の範囲を拡張し、又は変更するものに該当せず、特許法第１３４条の２第９項で準用する同法第１２６条第５項及び第６項に規定する要件を満たすものである。
（３）訂正事項３について
　本件特許の願書に最初に添付した明細書の段落【００２５】の「プライマー処理」及び「プライマー層１３」並びに段落【００２６】の「プライマー処理」及び「プライマー処理層１３」から、本件特許の特許請求の範囲の請求項２の「プライマリー処理」は、「プライマー処理」の誤記であることが明らかであり、訂正事項３に係る訂正は、特許請求の範囲の請求項２に「プライマリー処理」とあるのを、「プライマー処理」とする訂正であるから、特許法第１３４条の２第１項ただし書第２号の「誤記の訂正」を目的とするものに該当する。
　また、当該訂正は、本件特許の願書に最初に添付した明細書、特許請求の範囲又は図面に記載した事項の範囲内においてしたものであり、実質上特許請求の範囲を拡張し、又は変更するものに該当せず、特許法第１３４条の２第９項で準用する同法第１２６条第５項及び第６項に規定する要件を満たすものである。
（４）
　なお、平成２９年１月１６日に提出した上申書において、被請求人が主張する、特許請求の範囲の請求項１において「・・・車両用サンバイザの組立完成体の塩化ビニールからなる
前記
前記
前記
の一部
前記
前記
　また、当該訂正は、本件特許の願書に添付した明細書、特許請求の範囲又は図面に記載した事項の範囲内においてしたものであり、また、当該訂正は、実質上特許請求の範囲を拡張し、又は変更するものに該当せず、特許法第１３４条の２第９項で準用する同法第１２６条第５項及び第６項に規定する要件を満たすものである。
３　小括
　以上のとおりであるので、訂正事項１及び２に係る訂正は、特許請求の範囲の減縮を目的とし、本件特許の願書に添付した明細書、特許請求の範囲又は図面に記載した事項の範囲内においてしたものであり、かつ実質上特許請求の範囲を拡張し、又は変更するものではなく、訂正事項３に係る訂正は、誤記の訂正を目的とし、本件特許の願書に最初に添付した明細書、特許請求の範囲又は図面に記載した事項の範囲内においてしたものであり、かつ実質上特許請求の範囲を拡張し、又は変更するものではなく、また、上記２（４）で述べた訂正は、明瞭でない記載の釈明を目的とし、本件特許の願書に添付した明細書、特許請求の範囲又は図面に記載した事項の範囲内においてしたものである。
　したがって、訂正事項１〜３に係る訂正及び上記２（４）で述べた訂正は、特許法第１３４条の２第１項ただし書き第１号、第２号及び第３項に掲げる事項を目的とし、同法第１３４条の２第９項において準用する特許法第１２６条第５項及び第６項の規定に適合するものであり、当該訂正は適法なものであるからこれを認める。
第３　本件特許発明
　上記「第２」で述べたように、本件訂正請求による訂正は適法な訂正であるから、本件特許の請求項１及び２に係る発明（以下、それぞれ、「本件特許発明１」及び「本件特許発明２」という。）は、訂正請求書に添付した訂正特許請求の範囲の請求項１及び２に記載された次のとおりのものである。
「【請求項１】
　発泡芯材と前記発泡芯材を被覆して外表面を構成する塩化ビニールの表皮を備えるサンバイザ本体を有する車両用サンバイザの組立完成体の塩化ビニールからなる前記外表面に印刷表示を有している車両用サンバイザの製造方法であって、
　前記発泡芯材は、発泡ビーズを発泡成形して凹凸が発生した発泡芯材であり、
　車両用サンバイザの組立完成体の塩化ビニールからなる前記外表面に、アクリル酸エステル４０〜６０％、二アクリル酸ヘキサメチレン３０〜３５％、光重合開始剤１０〜１５％であって、残部が顔料、添加剤である紫外線硬化インクを直接噴射するインクジェット印刷方式を用いて、印刷表示を印刷した後、該印刷表示に対して紫外線を照射することを特徴とする車両用サンバイザの製造方法。
【請求項２】 
　ミラーユニットを収容保持する収容凹所が形成された発泡芯材と前記発泡芯材を被覆して外表面を構成する塩化ビニールの表皮を備えるサンバイザ本体と、前記収容凹所に収容保持された外表面の一部を構成するポリプロピレン樹脂のカバーを備える前記ミラーユニットと、を有する車両用サンバイザの組立完成体の前記外表面の一部を構成する前記カバーのカバー外面に印刷表示を有している車両用サンバイザの製造方法であって、
　前記発泡芯材は、発泡ビーズを発泡成形して凹凸が発生した発泡芯材であり、
　前記車両用サンバイザの組立完成体の前記外表面の一部を構成している前記ミラーユニットの前記カバー外面に対してプライマー処理を行い、前記カバー外面に、アクリル酸エステル４０〜６０％、二アクリル酸ヘキサメチレン３０〜３５％、光重合開始剤１０〜１５％であって、残部が顔料、添加剤である紫外線硬化インクを直接噴射するインクジェット印刷方式を用いて、印刷表示を印刷した後、該印刷表示に対して紫外線を照射することを特徴とする車両用サンバイザの製造方法。」
第４　参加人の主張と証拠方法
１　参加人が主張する請求の趣旨及び理由
　参加人は、「特許第５６６５１９１号の特許を無効とする。審判費用は被請求人の負担とする。」との審決を求め、その無効の理由は、以下のとおりである。
　　（無効理由）
　本件特許の請求項１に係る発明及び請求項２に係る発明は出願前に頒布された刊行物（甲第１号証乃至甲第３号証）に記載された発明及び電気通信回線を通じて公衆に利用可能となった発明（甲第４号証）に基づいて出願前に当業者が容易に発明をすることができたものであるから特許法第２９条第２項の規定により特許を受けることができないものであり、本件特許は同法第１２３条第１項第２号の規定に該当し無効とすべきものである。
２　無効理由に係る主張の要点
（１）
　審判請求書第１５頁第１１〜１２行
「静電印刷法の代わりにインクジェット印刷法が適用可能であることは自動車部品の分野では周知のことである。」  
（２）
　審判請求書第１６頁第１１〜１３行
「引用発明は印刷する部分の材質が塩化ビニルであり、さらに、紫外線硬化インクの組成比は全て甲第４号証に記載されている。」
（３）
　審判請求書第１６頁第２２〜２４行
「自動車部品の樹脂成形品の表面に印刷する方法として紫外線硬化インクによるインクジェット印刷法が用いられるので、印刷対象物に対して熱が付与されることがない。」
（４）
　平成２７年９月２４日付け口頭審理陳述要領書第１０頁第１８〜２０行、及び、平成２７年１０月２８日付け上申書第６頁第２２〜２４行
「本件発明は、紫外線硬化インク『ＬＨ−１００』を採用したミマキ製インクジェットプリンタ『ＪＦＸ−１６３１』を用いた『インクジェット印刷法』を、車両用サンバイザの外表面の印刷に適用しただけの発明にすぎない。」
（５）
　平成２８年６月２４日付け弁駁書第７頁第１２行〜末行
「甲１発明の本来の目的は、・・・溶剤を使用せずに表皮材に表示部を形成することが可能な車両用サンバイザの製造方法を提供すること」にあり（甲１の段落【０００３】）、トナーを用いることが甲１発明の目的ではない。・・・甲１発明の本来の目的の放棄となることを理由として、甲１発明のトナーを紫外線硬化インクに置換することに阻害要因があるとする被請求人の上記主張には理由がない。」
（６）
　平成２８年６月２４日付け弁駁書第１５頁第４〜１０行
「車両用サンバイザの組立完成体のどの部分に印刷表示を印刷するかは単なる設計事項にすぎず（審決予告４６頁４〜５行）、また、印刷層の密着性を向上させるための下処理として、印刷対象物にプライマー処理を行うことは印刷技術の分野における周知技術である（甲２の段落【００３６】、甲１２、甲１６、甲３０の３の１７頁・１８頁、審決予告４６頁１２〜１６行）。　したがって、当業者において、相違点２−１ａに係る構成を容易に想到し得たことは自明である。」
３　参加人の証拠方法
　参加人は、証拠方法として、審判請求書に添付して以下の甲第１〜８号証（甲第４号証は１〜４の枝番を含む）を提出し、平成２７年９月２４日付け口頭審理陳述要領書に添付して以下の甲第９〜２４号証（甲第２２号証は１〜２、甲第２４号証は１〜５の枝番をそれぞれ含む）を提出し、平成２７年１０月２８日付け上申書に添付して以下の甲第２５〜３４号証（甲第３０号証は１〜４の枝番を含む）を提出し、平成２８年６月２４日付け弁駁書に添付して以下の甲第３５〜４２号証を提出している。
　なお、審判請求書に添付して提出した参考資料１〜３の５は、撤回されている（口頭審理陳述要領書第２４頁第１８行）。
　甲第１号証　　　　特開２００３−２６７０５０号公報
　甲第２号証　　　　特開２００１−１６２７５８号公報
　甲第３号証　　　　特開２００１−３３４６０９号公報
　甲第４号証の１　　化学物質等安全データシート(MSDS)
　　　　　　　　　　製品名：LH-100 Cyan 
　　　　　　　　　　MSDS整理番号：030-36U06CC
　　　　　　　　　　作成：2010年12月24日
　甲第４号証の２　　化学物質等安全データシート(MSDS)
　　　　　　　　　　製品名：LH-100　Magenta
　　　　　　　　　　MSDS整理番号：030-36U06MC
　　　　　　　　　　作成：2010年12月24日
　甲第４号証の３　　化学物質等安全データシート(MSDS)
　　　　　　　　　　製品名：LH-100　Yellow
　　　　　　　　　　MSDS整理番号：030-36U06YC
　　　　　　　　　　作成：2010年12月24日
　甲第４号証の４　　化学物質等安全データシート(MSDS)
　　　　　　　　　　製品名：LH-100　Black
　　　　　　　　　　MSDS整理番号：030-36U06KC
　　　　　　　　　　作成：2010年12月24日
　甲第５号証　　　　化学物質等安全データシート(MSDS)
　　　　　　　　　　製品名：LH-100　White
　　　　　　　　　　MSDS整理番号：030-36U06WC
　　　　　　　　　　作成：2010年12月24日
　甲第６号証　　　　インクジェットプリンタ　MIMAKI　JFX-1631
　　　　　　　　　　の特徴及び仕様に関する
　　　　　　　　　　インターネット上の紹介記事
　甲第７号証　　　　JFX-1631　の販売開始に関する
　　　　　　　　　　Mimakiが作成したニュースリリース
　　　　　　　　　　2009年5月12日
　甲第８号証　　　　本件の出願（特願２０１１−１１０４６７号）の
　　　　　　　　　　審査で平成２６年６月２０日に提出された意見書
　甲第９号証　　　　再公表特許第WO２００９／１４８１２４号
　甲第１０号証　　　ウェブサイトのプリントアウト
　　　　　　　　　　http://jp.reuters.com/article/2007/04/05/
　　　　　　　　　　idJPJAPAN-25425720070405
　甲第１１号証　　　ウェブサイトのプリントアウト
　　　　　　　　　　http://web.archive.org/web/20041206101532/ 
　　　　　　　　　　http://www.mimaki.co.jp/japanese/ip/
　　　　　　　　　　inkjet/ujf-605c/ujf-605c.pdf
　甲第１２号証　　　ウェブサイトのプリントアウト
　　　　　　　　　　http://web.archive.org/web/20080920145813/
　　　　　　　　　　http://www.mimaki.co.jp/japanese/ip/
　　　　　　　　　　inkjet/jf/jf-series_j.pdf
　甲第１３号証　　　Ｏｃeユーザーマニュアル（抄）「なお、eは、
　　　　　　　　　　アキュートアクセント付きＥ小文字を意味する。」
　　　　　　　　　　Oec Arizona T220UV ユーザーガイド
　　　　　　　　　　オーダー番号3010102780　Prevision C版
　甲第１４号証　　　Truepress Jet2500UVパンフレット
　　　　　　　　　　https://web.archive.org/web/20120211020429/
　　　　　　　　　　http://www.screen.co.jp/ga_dtp/product/
　　　　　　　　　　digitalprint/tp_jet2500uv/pdf_2.html
　甲第１５号証　　　ウェブサイトのプリントアウト
　　　　　　　　　　http://web.archive.org/web/20100730215353/
　　　　　　　　　　http://www.mimaki.co.jp/japanese/ip/
　　　　　　　　　　inkjet/jfx/jfx_merit.php
　甲第１６号証　　　ウェブサイトのプリントアウト
　　　　　　　　　　http://web.archive.org/web/20101107180529/
　　　　　　　　　　http://www.mimaki.co.jp/english/ip/
　　　　　　　　　　inkjet/jfx/jfx_spec.php
　甲第１７号証　　　ウェブサイトのプリントアウト
　　　　　　　　　　http://web.archive.org/web/20100929082948/
　　　　　　　　　　http://www.mimaki.co.jp/japanese/topics/uv/
　甲第１８号証　　　ウェブサイトのプリントアウト
　　　　　　　　　　http://www.jfpi.or.jp/
　　　　　　　　　　webyogo/index.php?term=1286
　甲第１９号証　　　ウェブサイトのプリントアウト
　　　　　　　　　　http://www.printos.co.jp/printos/printos.html
　甲第２０号証　　　産業用インクジェットプリンター用小形ＵＶ照射装置
　　　　　　　　　　GS Yuasa Technical Report
　　　　　　　　　　2004年12月 第1巻 第1号 第78−82頁
　甲第２１号証　　　ウェブサイトのプリントアウト
　　　　　　　　　　http://isseisha.ict-cube.jp/gizyutu/
　　　　　　　　　　index-gizyutu.asp?P=SYOD=20080000008
　甲第２２号証−１　特集「ＵＶインクジェットシステムの現状と課題」
　　　　　　　　　　ＵＶインクジェットシステムの現状と将来展望
　　　　　　　　　　日本印刷学会誌 第45巻第6号(2008) 第602-608頁
　甲第２２号証−２　ウェブサイトのプリントアウト
　　　　　　　　　　https://www.jstage.jst.go.jp/
　　　　　　　　　　article/nig/45/6/45_6_602/_article/-char/ja/
　甲第２３号証　　　ウェブサイトのプリントアウト
　　　　　　　　　　http://www.chem-station.com/
　　　　　　　　　　chemistenews/2005/01/post-89.html
　甲第２４号証−１　ＳＣＲＥＥＮ製品安全データシート
　　　　　　　　　　製品名：Truepress ink（ＵＶ硬化型インク）
　　　　　　　　　　ＷＪ２１５（Ｃ）
　甲第２４号証−２　ＳＣＲＥＥＮ製品安全データシート
　　　　　　　　　　製品名：Truepress ink（ＵＶ硬化型インク）
　　　　　　　　　　ＷＪ８６７（Ｍ）
　甲第２４号証−３　ＳＣＲＥＥＮ製品安全データシート
　　　　　　　　　　製品名：Truepress ink（ＵＶ硬化型インク）
　　　　　　　　　　ＷＪ０５２（Ｙ）
　甲第２４号証−４　ＳＣＲＥＥＮ製品安全データシート
　　　　　　　　　　製品名：Truepress ink（ＵＶ硬化型インク）
　　　　　　　　　　ＷＪ００４（Ｋ）
　甲第２４号証−５　ＳＣＲＥＥＮ製品安全データシート
　　　　　　　　　　製品名：Truepress ink（ＵＶ硬化型インク）
　　　　　　　　　　ＷＪ０２１（Ｗ）
　甲第２５号証　　　ウェブサイトのプリントアウト
　　　　　　　　　　http://www.mimaki.co.jp/
　　　　　　　　　　archives/032/Note_IJ_Primer_D202301_V1.0.pdf.pdf
　甲第２６号証　　　ウェブサイトのプリントアウト
　　　　　　　　　　http://www.m-kagaku.co.jp/
　　　　　　　　　　grproduct/company/mcc/cmd/
　　　　　　　　　　notification/1194423_6179.html?category...
　甲第２７号証　　　ウェブサイトのプリントアウト
　　　　　　　　　　http://techon.nikkeibp.co.jp/
　　　　　　　　　　article/HONSHI/20080129/146479/?rt=nocnt
　甲第２８号証　　　ウェブサイトのプリントアウト
　　　　　　　　　　http://www.musashi-kasei.com/products/index.html
　甲第２９号証　　　LED-UV　インクジェットプリンタ(UJF-3042)の
　　　　　　　　　　開発と拡がる応用分野
　　　　　　　　　　日本画像学会誌　第51巻 第4号(2012) 第399-406頁
　甲第３０号証の１　照会申出書・照会事項書
　　　　　　　　　　平成２７年１０月９日付けの東照第201511862号 
　甲第３０号証の２　弁護士法第２３条の２に基づくご照会事項について
　　　　　　　　　　平成２７年１０月２１日付け
　　　　　　　　　　（株）ミマキエンジニアリング
　甲第３０号証の３　ＵＶインク密着性に関するガイダンス　Ver.1.00
　　　　　　　　　　2010/03/10　国内営業部　営業技術Ｇ
　　　　　　　　　　株式会社ミマキエンジニアリング　管理番号DA20079
　甲第３０号証の４　UJF3042　UV PRINTER　Product Guide
　　　　　　　　　　2012年3月13日　Ver1.00　DA20101　Mimaki
　甲第３１号証　　　複写機用ポリエステル系トナーバインダー
　　　　　　　　　　三洋化成ニュース　2010春No.459
　甲第３２号証　　　特開２０１１−５７１２１号公報
　甲第３３号証　　　特開２０１０−２４１１７７号公報
　甲第３４号証　　　特開２００５−７５０１１号公報
　甲第３５号証　　　ＬＥＤ方式ＵＶ硬化大型フラットベッドインクジェッ
　　　　　　　　　　トプリンタ　ＪＦＸ　ｐｌｕｓシリーズの出荷開始に
　　　　　　　　　　関するお知らせ
　　　　　　　　　　株式会社ミマキエンジニアリング
　　　　　　　　　　平成２２年１０月４日
　甲第３６号証　　　特開２００２−３１６５３５号公報
　甲第３７号証　　　特開２００３−３９４７０号公報
　甲第３８号証　　　特開平１０−６７２３０号公報
　甲第３９号証　　　ウェブサイトのプリントアウト
　　　　　　　　　　http://daiwa-kagaku.co.jp/knowledge/1/
　甲第４０号証　　　特開平８−２５３０３０号公報
　甲第４１号証　　　特開平１０−１６５５４号公報
　甲第４２号証　　　特開平１０−３１５７６４号公報
第５　被請求人の主張と証拠方法
１　被請求人が主張する答弁の趣旨
　被請求人の主張の趣旨は、「本件審判請求は成り立たない。審判費用は請求人の負担とする。」との審決を求め、無効理由に対して、本件の特許請求の範囲の請求項１、２は、甲第１号証乃至甲第４号証に基づき当業者が容易に想到し得るものではなく、参加人の主張する無効理由には理由が無い、というものである。
２　無効理由に係る主張の要点
（１）
　平成２７年５月２２日付け審判事件答弁書第６頁第３２行〜第７頁第１行
「甲第１号証には、『静電印刷法によりトナーを付着させる』ことが記載されているだけであって、その他の印刷法で代替できる旨の記載は一切ない。」 
（２）
　平成２７年５月２２日付け審判事件答弁書第９頁第１７行〜第２０行
「甲第１号証に記載された発明は、加熱する構成を備える発明であり、インクジェット印刷用のインクには、熱硬化型インクも多数存在するところ１、仮に、インクジェット印刷法を採用したと仮定しても、当然に、その時に選ばれるインクは熱硬化型インクであると解されるべきである。」
（３）
　平成２７年５月２２日付け審判事件答弁書第１０頁第１１行〜第２３行
「上記のとおり、・・・請求人は、あえて、何らかの示唆に基づくそれなりの動機付けもなく、甲第４号証の紫外線硬化インクを適用する旨主張しているのであって、・・・表皮材の主成分がＰＶＣであれば、熱膨張の関係、化学結合のしやすさ、定着後の安定のためにトナーもＰＶＣを含有すべきであることが記載されているところ、甲第４号証のインクにはＰＶＣは含有されていないのであって、甲第１号証の記載に基づけば、熱膨張の関係、化学結合のしやすさ、定着後の安定性の点で劣ることになるかもしれないようなＰＶＣを含有していない甲第４号証に記載のインクを何故採用するのか全くに理由が不存在であると言わざるを得ない。」
（４）
　平成２７年５月２２日付け審判事件答弁書第１２頁第２５行〜第２９行
「単に、あらゆる印刷法が羅列されている印刷法であればなんでも良い発明に過ぎない甲第２、３号証の記載中に静電印刷法とインクジェット印刷法とが併記されているからと言って、特定の印刷法によって課題達成を目指していると言える甲第１号証に記載された発明の「静電印刷法」が「インクジェット印刷法」に代え得ることの根拠にならないことは言うまでもない。」
（５）
　平成２８年５月３１日付け上申書第１３頁第１６〜２０行
「溶剤を用いずにトナーによる表示部を形成することを主たる目的とする甲第１号証において、トナーを用いないものとすることは、甲第１号証の発明本来の目的を放棄することであるから、・・・甲第１号証のトナーを紫外線硬化型インクに置換することには阻害要因があるというべきである。」
（６）
　平成２８年５月３１日付け上申書第１５頁第７〜１０行
「それらの文献（甲第４，６，７号証）は、・・・それらの文献の存在が、第３者が周知のものとして認識していることを立証できるものではないことは明らかである。」
（７）
　平成２８年１１月２日付け審判事件答弁書第８頁第４〜１１行
「甲第１号証は、
トナーを使用する
製造方法において
トナーの定着に溶剤を用いない技術
（８）
　平成２８年１１月２日付け審判事件答弁書第１２頁第１５〜２０行
「そうすると、『
伸縮性を有した材料（例えば塩化ビニル製シート
（９）
　平成２８年１１月２日付け審判事件答弁書第１５頁下から第２〜第１６頁第２行
「その『ステンレス製のスクリーン』で印刷できる表示内容は１種に限られるのであって・・・多種の表示に対応できるものではないのである。」
（１０）
　平成２８年１１月２日付け審判事件答弁書第２１頁第１８〜２５行
「そして、いずれの文献にも、本件訂正発明２の『発泡ビーズを発泡成形して凹凸が発生した発泡芯材であ』る場合に『発泡芯材に発生する凹凸の存在が問題とならない部位としてのミラーユニットのカバー外面に印刷表示をする』という着眼は記載も示唆もされていないのである。
　さらに、その着眼に関連して『カバーの材質がポリプロプレン樹脂であるが、故に、新たに、インクの乗り性及び馴染み性等の問題が生じ、・・・プライマー処理を施す』ことで、その問題を解決することに関しても記載も示唆もないのである。」
３　被請求人の証拠方法
　被請求人は、証拠方法として、平成２７年５月２２日付け審判事件答弁書に添付して以下の乙第１〜４号証を提出し、平成２７年１０月５日付け口頭審理陳述要領書に添付して以下の乙第５〜８号証を提出し、平成２７年１１月１２日付け上申書に添付して以下の乙第９〜１３号証を提出し、平成２８年５月３１日付け上申書に添付して以下の乙第１４〜１６号証を提出し、平成２８年１１月２日付け審判事件答弁書に添付して以下の乙第１７〜１８号証を提出している。
　乙第１号証　　　特開２００１−３１０５５１号公報
　乙第２号証　　　特開平７−１８８５９６号公報
　乙第３号証　　　平成２０年（行ケ）第１０４０５号判決
　乙第４号証　　　平成２０年（行ケ）第１００９６号判決
　乙第５号証　　　ウエブサイトのプリントアウト
　　　　　　　　　http://www.mimaki.co.jp/
　　　　　　　　　archives/009/DB20266-03_JFX-plus_JPN.pdf
　乙第６号証　　　特表２００５−５０１９５４号公報
　乙第７号証　　　特開２００６−２４８５７３号公報
　乙第８号証　　　特開２００５−２８９０２１号公報
　乙第９号証　　　特開平６−３１７９４７号公報
　乙第１０号証　　ウエブサイトのプリントアウト
　　　　　　　　　http://www.jaf.or.jp/
　　　　　　　　　eco-safety/safety/usertest/temperature/detail2.htm
　乙第１１号証　　高温試験結果報告書　発行NO．実A140275
　　　　　　　　　河西工業（株）　試作・実験部　第１課
　乙第１２号証　　特開２０１４−１６８９８０号公報
　乙第１３号証　　特許庁編　工業所有権法（産業財産権法）
　　　　　　　　　逐条解説〔第１９版〕　第382-385頁 
　乙第１４号証　　平成１３年（行ケ）第５１９号判決
　乙第１５号証　　平成１３年（行ケ）第６４号判決
　乙第１６号証　　ウェブサイトのプリントアウト
　　　　　　　　　http://www.selcam.co.jp/history.html
　乙第１７号証　　平成２３年（行ケ）第１０３７１号判決
　乙第１８号証　　平成２６年（行ケ）第１０１８４号判決
第６　当審の判断
１　補正許否
（１）平成２８年３月１７日付け補正許否の決定
「参加人（審判請求人）が平成２７年１０月２８日付けで提出した上申書(以下「上申書１」という。)及び平成２７年１１月１９日付けで提出した上申書(以下「上申書２」という。)において主張する明確性要件違反に係る無効理由（上申書１の７．（３）ウ〔第２２頁第２０行〜第２３頁第１６行〕、上申書２の６．（１）〔第３頁第４行〜第５頁第１８行〕）は、審判請求時の請求書において記載しなかった新たな無効理由であるから、この理由を追加することは、請求書の要旨を変更することになる。そして、この理由を審判請求時の請求書に記載しなかったことにつき合理的な理由があったものとすることもできないから、上記無効理由を追加する補正は、許可しない。」旨の決定をした。
　なお、参加人（審判請求人）が口頭審理陳述要領書において提示した甲第９〜１７、２０〜２３号証については、非接触の印刷法として紫外線硬化インクを用いた「インクジェット印刷法」が本件特許出願時に技術常識であることを立証する証拠の限度で採用する。
（２）平成２８年１０月３日付け補正許否の決定
「１）参加人（審判請求人）が平成２７年１０月２８日付けで提出した上申書及び平成２８年６月２４日付けで提出した弁駁書において主張する公然実施発明による進歩性の欠如に係る無効理由（上申書の７．（３）ア及びイ〔第１９頁第１５行〜第２２頁第１９行〕及び弁駁書の６．（３）〔第１７頁第１行〜第２０頁第１２行〕は、審判請求時の請求書において記載しなかった新たな無効理由であるから、この理由を追加することは、請求書の要旨を変更することになる。そして、この理由を審判請求時の請求書に記載しなかったことにつき合理的な理由があったものとすることもできないから、上記無効理由を追加する補正は、許可しない。
２）上記弁駁書に記載された事項のうち、６．（１）イ〔第３頁第２１行〜第４頁末行〕及び６．（２）〔第５頁第１２行〜第１６頁末行〕の事項による請求の理由の補正については、許可する。」旨の決定をした。
２　甲号証について
（１）甲第１号証に記載の事項及び甲第１号証に記載の発明
ア　甲第１号証に記載の事項
　甲第１号証には、図とともに、次の事項が記載されている。
　なお、下線は当審が加筆した。以下、同様である。
（１ａ） 
「【請求項２】　
バイザ本体が、芯材とその芯材を被覆する表皮材とを備えて構成される、車両用サンバイザの製造方法であって、
前記芯材に前記表皮材を被覆する工程と、
前記表皮材の表面に表示部を形成するために、前記表皮材の前記表示部に対応した位置に静電印刷方法によりトナーを付着させる工程と前記トナーに近赤外線を非接触にて照射し、これによって前記トナーを前記表皮材に溶着させ、前記表皮材に前記表示部を形成する工程とを有することを特徴とする車両用サンバイザの製造方法。
（１ｂ）
「【０００１】
【発明の属する技術分野】この発明は、車室に取付けられる車両用サンバイザの製造方法に関する。」
（１ｃ）
「【０００２】
【従来の技術】車両用サンバイザは、一般に板状のバイザ本体を有しており、そのバイザ本体は、芯材とその芯材を被覆する表皮材とを備えて構成されている。そしてその表皮材には、コーションマークなどの表示部が形成されているものも少なくない。そして従来、その表示部がトナーを成分として構成されるものも知られていた。この場合の表示部の形成は、先ず表皮材の所望位置にトナーを付着させる。そしてそのトナーに定着液を噴霧してトナーを表皮材に定着させる。これにより表示部が表皮材に形成されていた。
【０００３】
【発明が解決しようとする課題】しかし
トナーを定着させるための定着液は、一般に塩化メチレンなどの溶剤であった。そのため環境への配慮から定着液の飛散を防止したり、揮発性が高いことから定着液の保管方法を工夫する必要があって、作業性が悪いなどの問題があった。
溶剤を使用せずに表皮材に表示部を形成することが可能な車両用サンバイザの製造方法を提供することを課題とする。
（１ｄ）
「【０００５】請求項２に記載の発明によれば、表示部を形成する前に表皮材を芯材に被覆する。そのため表皮材は、表示部の位置を考慮することなく芯材に被覆できる。そして表示部は、芯材の位置を考慮しながら所望位置へ設けることができる。そのため芯材に対する所望位置に表示部を設けることができる。かくして表皮材を容易に芯材に被覆できるとともに、表示部を適所に容易に設けることができる。また本発明は、請求項１に記載の発明と同様に、トナーの定着に近赤外線を利用している。そのためトナーの定着の際に溶剤を使用せず、溶剤を使用することによる作業性の問題などが解消される。また近赤外線を利用するためにトナーを表皮材に溶着させやすい。また
表皮材の表面に施された意匠処理の溶融を少なくすることも可能である。また非接触にてトナーを溶融するため、表皮材やトナーの厚みが異なる場合であっても柔軟にそれらに対応することが可能である。
（１ｅ）
「【０００７】
【発明の実施の形態】
本発明は、車両用サンバイザ１にかかるものであって、図４に示すように板状のバイザ本体を備える。
バイザ本体は、
芯材５と、その芯材５の表面を被覆する表皮材４とを備えて構成されている。
表皮材４の表面側には、図４に示すように表示部６が形成されている。この表示部６は、例えば製品の取扱方法、注意書き（コーション）などの文字・記号であったり、
（１ｆ）
「【０００８】以下に、車両用サンバイザの製造方法を図１（ａ）にしたがって説明する。先ず表皮材４を所望形状にカットする。そのカット形状は、製品形状に対応した形状ないし、表示部６を構成するための装置（図２参照）に対応した形状である。そしてカットした表皮材４を印刷装置にセットする（準備する）（ステップＳ１）。次に、表皮材４の表面のうちの表示部６を構成したい位置に静電印刷装置を利用してトナーを付着させる（ステップＳ２）。そしてトナーに近赤外線を照射してトナーを溶融し、表皮材４にトナーを溶着させる（ステップＳ３）。これによって表皮材４の表面にトナーを定着させ、表皮材４に表示部６を形成する（図２参照）。
【０００９】次に、図３に示すように製品形状にトリムされた芯材５を準備する。そしてその芯材５に表皮材４を被覆する（ステップＳ４）。この被覆方法は、例えば図３に示すように二枚の表皮材４の間に芯材５を配設し、表皮材４と芯材５とを層状に重ねる。そして表皮材４に芯材５の外周形状に沿って高周波ないし超音波を照射し、二枚の表皮材４同士を溶着させる。したがって表皮材４が袋状となり、その袋内に芯材５が配設される。かくして芯材５は、表皮材４によって被覆される。そして最後に余分となった表皮材４の端部を切り落とす。また被覆方法は、上記の方法に代えて次の方法による場合であってもよい。すなわち先ず、表皮材４を二つ折りにし、表皮材４の一辺を除いた周縁を縫製して表皮材４を一端側開口となった袋状にする。そして縫製されていない一辺側から芯材５を挿入し、その一辺を閉じる。これによって芯材５は、表皮材４によって被覆される。以上のようにして、車両用サンバイザ１が製造される。」
（１ｇ）
「【００１０】なお
表皮材４にトナーを付着させる工程（ステップＳ２）は、
静電印刷方法により行う。
この方法は、非接触によって表皮材４にトナーを付着させることができる方法であるため、表皮材４の材質や形状によって影響を受けることが少ない方法である。
【００１１】またトナーを表皮材４に溶着（定着）させる工程は（ステップＳ３）、図２に示すように近赤外線を照射する加熱装置３を利用して行う。したがって先ず、表皮材４が載置された作業台２を加熱装置３の下方へ移動させる（図２参照）。あるいは加熱装置３を表皮材４の上方へ移動させ、表皮材４の上方に加熱装置３を配置する。そして
加熱装置３から近赤外線を非接触で照射させ、トナーに熱を与える。これによってトナーは、熱を受けて溶融し、表皮材４に溶着する。例えばトナーが粒子状のものから液状に相変化し、表皮材４の表面上の凹凸部に入り込む。
（１ｈ）
「【００１２】また近赤外線は、照射されることで極性の有する分子に運動エネルギーを与え、その分子を振動させる。そしてその振動により熱を生じさせる。したがって
近赤外線によってトナーを加熱する場合は、伝導や対流の熱伝達による加熱方法に比べて効率よく加熱できる。
【００１３】またトナーは、図５（ｂ）に示すように溶着側が十分に溶融された場合であっても、その反対側である表面側の溶融量を少なくすることができる。したがってトナーが溶融しすぎてダレることによる印刷にじみを少なくすることができる。また表皮材４も、図５（ｂ）に示すように深部から溶融する。したがって表皮材４の表面側の溶融量は少ない。そのため
表皮材４の表面に施された意匠処理、例えば光沢処理やシボ加工処理などの溶融を少なくすることも可能である。
【００１４】
ところで近赤外線を利用しない加熱方法、例えば遠赤外線による加熱方法、あるいはヒータによる加熱方法も考えられるが、この場合は、図６に示すようにトナーや表皮材４が表面側から溶融してしまう。したがってこれらの加熱方法では、上記の効果を得ることが困難である。
（１ｉ）
「【００１７】一方
表皮材４は、例えば、ポリ塩化ビニル（ＰＶＣ）
などの熱可塑性樹脂を素材として成形される。
表皮材４は、
溶剤によって定着されていない。したがって表皮材４を耐溶剤性の弱い材質によって成形することも可能である。
【００１８】また
トナーは、表皮材４との相性がよいものを選択することが好ましい。
表皮材４が熱可塑性樹脂（例えばＰＶＣ）を主成分とする材料から成形されている場合は、トナーがその熱可塑性樹脂（例えばＰＶＣ）をキャリヤーとして含有する材料から成形されるものが好ましい。これによってトナーは、表皮材４に対して物理的に溶着しやすい。これは、トナーの熱膨張率と表皮材の熱膨張率とが近いために剥離が生じにくいなどを原因とするからである。
（１ｊ）
「【００１９】以上のようにして車両用サンバイザが製造されるため、
表皮材４に表示部６を形成する際には、溶剤を必要としない。
溶剤の飛散を防止したり、
溶剤を保管するなどの作業が不要であって、容易に車両用サンバイザを製造できる。また消耗材となる溶剤を不要とするため、製造コストを安くすることも可能である。
表皮材４にシボ加工がある場合には、表皮材４の表面に凹凸が多い
シボを有する表皮材４であってもにじみが発生しにくく、表示部６をきれいに仕上げることができる。
（１ｋ）
「【００２０】次に、上記の実施の形態と異なる
車両用サンバイザの製造方法を図１（ｂ）にしたがって説明する。
芯材５に表皮材４を被覆する（ステップＳ５、図４参照）。次に、その表皮材４の表面にトナーを付着させる（ステップＳ６）。そしてそのトナーに熱を加えて表皮材４にトナーを溶着（定着）させ（ステップＳ７）、これによって表皮材４に表示部６を形成する。なおステップＳ５，Ｓ６，Ｓ７は、それぞれ上記の実施の形態のステップＳ４，Ｓ２，Ｓ３と同じ工程であり、
【００２１】すなわち表示部６を形成する前に表皮材４を芯材５に被覆するため、表示部６が芯材５のどの位置に配されるかを配慮することなく、表皮材４を芯材５に被覆することができる。そして表示部６は、芯材５に被覆された状態の表皮材４に設けられる。したがって表示部６は、芯材５の位置を考慮しつつ所望位置に設けられる。したがって本実施の形態によると、表皮材４を芯材５に容易に被覆することができる。そして表示部６を適所に容易に設けることができる。またトナーの定着の際に
溶剤を使用しないため、芯材５の材質を耐溶剤性の弱いものにすることも可能である。
（１ｌ）
「【００２２】
【発明の効果】本発明に係る車両用サンバイザの製造方法によれば、
溶剤を使用せずに表皮材に表示部を形成することができる。
イ　甲第１号証に記載の発明
（ア）
　上記ア（１ｅ）の「表皮材４」として、「ポリ塩化ビニル（ＰＶＣ）」を用いることが、上記ア（１ｉ）に記載されている。
（イ）
　上記ア（１ａ）から、「表示部」は、「表皮材の表示部に対応した位置に静電印刷方法によりトナーを付着させ、前記トナーに近赤外線を非接触にて照射し、これによって前記トナーを前記表皮材に溶着させ」形成されるものであるところ、「静電印刷方法によりトナーを付着させ」ることは、「静電印刷方法を用いて、トナーを印刷表示として付着させ」ることであるといえること、及び、「表皮材の表示部に対応した位置」は、表示部が視認できる位置であるから（図４）、「表皮材の外表面」といえることから、「表示部」は、「表皮材の外表面に、トナーを静電印刷方法を用いて、印刷表示として付着させた後、該印刷表示に近赤外線を非接触にて照射してトナーを溶着させる」ことで形成されるといえる。
（ウ）
　上記（イ）から、上記ア（１ｅ）の「表皮材４の表面側には、図４に示すように表示部６が形成されている」ことは、「表皮材４の外表面に印刷表示を有している」ことといえるし、当該印刷表示については、「表皮材４の外表面に、トナーを静電印刷方法を用いて、印刷表示として付着させた後、該印刷表示に近赤外線を非接触にて照射してトナーを溶着させる」ものであるといえる。
（エ）
　上記ア（１ａ）に記載の各構成要素には、上記ア（１ｅ）、（１ｆ）、（１ｋ）及び図に記載の各構成要素の番号が対応しているといえる。
（オ）
　上記（ア）〜（エ）及び上記ア（１ａ）〜（１ｌ）〔特に、上記ア（１ａ）及び（１ｅ）〕及び図から、甲第１号証には、次の発明（以下、「甲１発明」という。）が記載されているものと認められる。
　［甲１発明］
「芯材５とその芯材５の表面を被覆するポリ塩化ビニルからなる表皮材４とを備えて構成されているバイザ本体を備える車両用サンバイザ１の、ポリ塩化ビニルからなる表皮材４の外表面に印刷表示を有している、車両用サンバイザ１の製造方法であって、
　車両用サンバイザ１のバイザ本体を構成している、ポリ塩化ビニルからなる表皮材４の外表面に、トナーを静電印刷方法を用いて、印刷表示として付着させた後、該印刷表示に近赤外線を非接触にて照射してトナーを溶着させる
　車両用サンバイザ１の製造方法。」
（２）甲第２号証に記載の事項
　甲第２号証には、図とともに、次の事項が記載されている。
（２ａ）
「【０００１】
【発明の属する技術分野】本発明は、住宅等の建築物における壁面、天井面、床面等の内外装や造作材、建具等の建築資材、家具什器類、住設機器や家電製品等の表面化粧、
車両内装等の用途に使用するための化粧材に関するものである。
【０００２】
【従来の技術】従来より上記した各種の用途に使用されてきた化粧材としては、隠蔽性の着色ポリ塩化ビニル樹脂シート等の基材シートの表面に木目等の所望の絵柄の印刷を施し、該絵柄の上に更に透明なポリ塩化ビニル樹脂シートを積層してなる化粧シートや、当該化粧シートを合板等の各種の基材の表面に貼付してなる化粧板などが代表的なものである。」
（２ｂ）
「【００２５】上記化粧材の構成要素中、
基材シート５としては、
ポリプロピレン、
ポリ塩化ビニル
等を使用することができる。
・・・
【００３５】
絵柄層４の形成方法としては、
インクジェット印刷法、静電印刷法、
等の各種の印刷方法
を
実施することもできる。
（２ｃ）
「【００３６】
絵柄層４の基材シート５への密着性を向上するために、絵柄層４の形成の前に基材シート５の表面に予め例えばコロナ放電処理、
プラズマ処理
又はプライマー処理等の表面処理を施すこともできる。
（３）甲第３号証に記載の事項
　甲第３号証には、図とともに、次の事項が記載されている。
（３ａ）
「【０００２】
【従来の技術】従来、例えば自動車のフロントパネル等として使用されるＡＢＳ（アクリロニトリル−ブタジエン−スチレン共重合体）樹脂成形品に、印刷による繊細な絵柄の意匠を施すために、予め熱可塑性樹脂シートに絵柄の印刷を施した化粧シートを、ＡＢＳ樹脂成形品の成形後若しくは成形と同時に、その表面に積層する手法が、広く用いられている。
【０００３】係るＡＢＳ樹脂成形品への絵付用の化粧シートとしては、従来は主として、ポリ塩化ビニル樹脂シートの表面に絵柄印刷インキ層を設け、該絵柄印刷インキ層上に、耐候性に優れた透明アクリル系樹脂シートを積層し、更に、前記ポリ塩化ビニル樹脂シートの裏面に、ＡＢＳ樹脂バッカー層を積層した構成の化粧シートが用いられている。
・・・
【０００５】しかしながら、前記した従来の化粧シートを用いた絵付樹脂成形品は、ＡＢＳ樹脂とは全く異質な樹脂であるポリ塩化ビニル樹脂を使用していたために、そのまま粉砕しても成形用樹脂として再利用することができない。化粧シートを樹脂成形品から剥離して分別回収することも困難であり、リサイクル化の目処が立っていないのが現状である。」
（３ｂ）
「【００１１】
【発明の実施の形態】本発明の
化粧シートは、
表面側から順に、透明アクリル系樹脂シート層１１、絵柄印刷インキ層１２、ＡＢＳ樹脂シート層１３、及びＡＢＳ樹脂バッカー層１４が積層されて構成されるものである。
必要に応じて、
ＡＢＳ樹脂バッカー層１４の裏面に
易接着プライマー層を設けたりすることも任意である。
・・・
【００１８】
絵柄印刷インキ層１２は、
スクリーン印刷法、インクジェット印刷法、静電印刷法等の各種印刷法
で形成すればよい。
・・・
【００３４】こうして得た本発明の
絵付樹脂成形品は、自動車のフロントパネルやドアパネル、シート裏面材等の各種車両内装材
等として、幅広く利用可能である。
（４）甲第４号証に記載の事項
（４−１）甲第４号証の１に記載の事項
　甲第４号証の１には、次の事項が記載されている。
（４−２）甲第４号証の２に記載の事項
　甲第４号証の２には、次の事項が記載されている。
　なお、甲第４号証の１の内容と重複するpageは摘記を省略する。
（４−３）甲第４号証の３に記載の事項
　甲第４号証の３には、次の事項が記載されている。
　なお、甲第４号証の１の内容と重複するpageは摘記を省略する。
（４−４）甲第４号証の４に記載の事項
　甲第４号証の４には、次の事項が記載されている。
　なお、甲第４号証の１の内容と重複するpageは摘記を省略する。
（５）甲第９号証に記載の事項
　甲第９号証には、次の事項が記載されている。
（９ａ）
「【０００２】
近年、インクジェット記録方式は、多種多様な基材に対して、それぞれ最適な性能を付与したインクを利用して高画質な印刷物の製造を可能としている。更に、印刷版が不要という特徴を生かして、非常に手軽で安価に印刷でき、また、ワイドフォーマットと呼ばれる広幅の基材にも適用できるようになっている。そこで、この様な特徴を生かして、最近では、広い画像面積を必要とする屋外の大型宣伝広告等の製作分野でも利用される機会が多くなっている。
【０００３】
これに使用される基材としては、塩化ビニル樹脂そのものからなるシートや複合材料のターポリンシート等というように、野外の使用に耐える強靭なポリ塩化ビニル系シートが使用されている。そして、このポリ塩化ビニル系シートに印字するインクジェット印刷用インクとしては、基材に対する密着性が良好な油性型のものが主として使用されている（例えば、特許文献１参照）。
しかし、油性型のインクジェット印刷用インク組成物では、有機溶剤等が揮発して作業環境や自然環境を悪化させる等の環境問題を引き起こすことがあった。このため、揮発成分を用いない光硬化型のインクジェット印刷用インク組成物が提案されるようになっている。」
（９ｂ）
「【００５０】
画像の
硬化における光源としては、紫外線
発光ダイオード（ＬＥＤ）等を挙げることができる。
光硬化型インクジェット印刷用インク組成物は、光源としてＬＥＤを用いた場合であっても優れた硬化性を得ることができる。
ＬＥＤによる光は、波長ピークが３６５〜４２０ｎｍの範囲内にある活性エネルギー線であることが好ましい。
すなわち、本発明はまた、
ポリ塩化ビニル系シートに、上記光硬化型インクジェット印刷用インク組成物を１〜２０μｍの膜厚で印刷した後、光硬化して得られる
（６）甲第１０号証に記載の事項
　甲第１０号証には、次の事項が記載されている。
（７）甲第２０号証に記載の事項
　甲第２０号証には、次の事項が記載されている。
（８）甲第２１号証に記載の事項
　甲第２１号証には、次の事項が記載されている。
（９）甲第２２号証−１に記載の事項
　甲第２２号証−１には、次の事項が記載されている。
（１０）甲第２３号証に記載の事項
　甲第２３号証には、次の事項が記載されている。
（１１）甲第３４号証に記載の事項
　甲第３４号証には、次の事項が記載されている。
（３４ａ）
「【０００３】
そして、
サンバイザ本体２は、保形性並びに適度の緩衝性を有するサンバイザコア（サンバイザ芯材）４の外表面をＰＶＣ樹脂シート
等から選択されたサンバイザ表皮５により被包して構成されており
（３４ｂ）
「【０００４】
ところで、
上記車両用サンバイザ１の製造方法について、図１０を基に説明すると、サンバイザコア４は、
製品キャビティＣ内に発泡性ビーズ材料を注入した後、蒸気をベント孔７から製品キャビティＣ内に供給してビーズ成形を行ない、サンバイザコア４を所要形状に成形する
（３４ｃ）
「【０００９】
しかしながら、
図１１に示すように、サンバイザコア４の外表面は、蒸気を供給する際に形成されるベント孔７の痕跡が凹凸４ａとして生じ、図示するようにサンバイザ表皮５により被包しても、サンバイザ表皮５がサンバイザコア４の外表面に密着状態で被包されるため、サンバイザ本体２の外表面にも同様な凹凸２ａが生じ、製品美観の低下を招くとともに、手触り感の悪化をもたらすという不具合が指摘されている
（３４ｄ）
「【００１４】
更に、サンバイザコアの外表面に塗工される塗膜は、サンバイザコアに対する接着性を考慮して、例えば、
サンバイザコアとしてＰＰビーズ成形体を使用
（１２）甲第３５号証に記載の事項
　甲第３５号証には、次の事項が記載されている。
（１３）甲第４０号証に記載の事項
　甲第４０号証には、次の事項が記載されている。
（４０ａ）
「【０００９】図１は本発明の芯材を施用したサンバイザを示す図面で、図において１はサンバイザ本体である。
このサンバイザ本体１は芯材２と、この芯材２の外表面を覆う表皮部材３と、ミラーユニット４とを主要素として構成されている。前記芯材２はポリプロピレン（ＰＰ）ビーズ等の合成樹脂発泡材料を発泡成形され、表皮部材３は塩化ビニール樹脂（ＰＶＣ）、パッド付きクロス等の材料を可とする。
前記ミラーユニット４は、ミラー本体６とこのミラー本体６に軸６ａを介して回動自在に連結されたミラーカバー７とから構成されている。
（４０ｂ）
「【００１４】
前記ミラーユニット４は、芯材２に形成したミラーユニット収容凹部９内に取付けられる。
（１４）甲第４１号証に記載の事項
　甲第４１号証には、次の事項が記載されている。
（４１ａ）
「【０００２】
【従来の技術】従来のサンバイザとして、図６及び図７に示すようなものが開発されている。これについて説明すると、
１１はサンバイザ本体で、このサンバイザ本体１１は合成樹脂発泡材料からなる芯材１２と、この芯材１２を覆う表皮材１６と、ミラーユニット１５とを主要素として構成されている。
【０００３】
前記芯材１２は、ポリプロピレン等の合成樹脂発泡粒子（ＰＰビーズ）を発泡成形されている。
【０００４】
前記表皮材１６は塩化ビニール（ＰＶＣ）等の合成樹脂材料からなり、内部に芯材１２を包み込んで外周に沿ってウエルダによって溶着されて、芯材１２の外表面を覆っている。
【０００５】前記ミラーユニット１５の背面には複数の溶着リブ１５ｃが形成してあり、
ミラーユニット１５は、溶着リブ１５ｃを取付け板１４に振動溶着することによってミラーユニット収容凹部１９内に収容固定されている。
（１５）甲第４２号証に記載の事項
　甲第４２号証には、次の事項が記載されている。
（４２ａ）
「【０００２】
【従来の技術】従来のミラーユニット付きサンバイザとして、例えば図４に示すものがある。これについて説明すると、
１はサンバイザ本体でこのサンバイザ本体１は図５に示すように、合成樹脂発泡材料を発泡成形して形成した樹脂芯材２と、この樹脂芯材２の外表面を覆う表皮部材３と、ミラーユニット４とを主要素として構成されている。
【０００３】また、このサンバイザ本体１は、このサンバイザの一側に取付けられた支軸５を介して図外の車両の天井部分に回動自在に取付けられて、車体の前後及び上下方向に回動可能となっている。
【０００４】６は前記樹脂芯材２に埋設された補強用のワイヤーフレームで、このワイヤーフレーム６は、その一部が前記支軸５を形成している。
【０００５】７はミラーユニット収容凹部、８はこのミラーユニット収容凹部７の底部に配置された薄鋼板製の取付け板で、この取付け板８はワイヤーフレーム６に溶接固定されている。
【０００６】そして、
ミラーユニット４は、
ミラーユニット収容凹部７内に取付けられている。
（４２ｂ）
「【００１４】
樹脂芯材２はポリプロピレン（ＰＰ）ビーズ等の合成樹脂発泡材料を発泡成形され、表皮部材３は塩化ビニール樹脂（ＰＶＣ）、
等の材料を用いている。
３　本件特許発明１と甲１発明との対比・判断
（１）対比
　本件特許発明１と甲１発明とを対比する。
ア
　甲１発明の「芯材５」と、本件特許発明１の「発泡芯材」とは、「芯材」の限りで共通するといえる。
イ
　甲１発明の「ポリ塩化ビニルからなる表皮材４」、「バイザ本体」及び「車両用サンバイザ１」は、それぞれ、本件特許発明１の「塩化ビニールの表皮」、「サンバイザ本体」及び「車両用サンバイザ」に相当する。
ウ
　甲１発明の「外表面」は、「バイザ本体を備える車両用サンバイザ１」の「外表面」であるところ、本件特許発明１の「外表面」は、「サンバイザ本体を有する車両用サンバイザの組立完成体」の「外表面」であるが、「バイザ本体を備える車両用サンバイザ１」及び「サンバイザ本体を有する車両用サンバイザの組立完成体」は、いずれも「車両用サンバイザ」であるといえるから、甲１発明の「バイザ本体を備える車両用サンバイザ１」の「外表面」と、本件特許発明１の「サンバイザ本体を有する車両用サンバイザの組立完成体」の「外表面」とは、「車両用サンバイザの外表面」の限りで共通するといえる。
エ
　上記ア〜ウから、甲１発明の「芯材５とその芯材５の表面を被覆するポリ塩化ビニルからなる表皮材４とを備えて構成されているバイザ本体を備える車両用サンバイザ１の、ポリ塩化ビニルからなる表皮材４の外表面に印刷表示を有している、車両用サンバイザ１の製造方法」と、本件特許発明１の「発泡芯材と前記発泡芯材を被覆して外表面を構成する塩化ビニールの表皮を備えるサンバイザ本体を有する車両用サンバイザの組立完成体の塩化ビニールからなる前記外表面に印刷表示を有している車両用サンバイザの製造方法」とは、「芯材と前記芯材を被覆して外表面を構成する塩化ビニールの表皮を備えるサンバイザ本体を有する車両用サンバイザの塩化ビニールからなる前記外表面に印刷表示を有している車両用サンバイザの製造方法」の限りで共通するといえる。
オ
　上記イ及びウから、甲１発明の「車両用サンバイザ１のバイザ本体を構成している、ポリ塩化ビニルからなる表皮材４の外表面」と、本件特許発明１の「車両用サンバイザの組立完成体の塩化ビニールからなる前記外表面」とは、「車両用サンバイザの塩化ビニールからなる前記外表面」の限りで共通するといえる。
カ
　甲１発明の「該印刷表示に近赤外線を非接触にて照射してトナーを溶着させる」ことと、本件特許発明１の「該印刷表示に対して紫外線を照射すること」とは、それらの技術的意義を踏まえると、印刷表示を定着させるために「電磁波を照射する」ことという限りにおいて共通するといえる。
キ
　上記カから、甲１発明の「トナーを静電印刷方法を用いて、印刷表示として付着させた後、該印刷表示に近赤外線を非接触にて照射してトナーを溶着させる」ことと、本件特許発明１の「アクリル酸エステル４０〜６０％、二アクリル酸ヘキサメチレン３０〜３５％、光重合開始剤１０〜１５％であって、残部が顔料、添加剤である紫外線硬化インクを直接噴射するインクジェット印刷方式を用いて、印刷表示を印刷した後、該印刷表示に対して紫外線を照射すること」とは、「印刷表示を印刷した後、該印刷表示に対して電磁波を照射する」ことという限りにおいて共通するといえる。 
（２）一致点及び相違点
　以上より、本件特許発明１と甲１発明との一致点及び相違点は、次のとおりである。
＜一致点１＞
「芯材と前記芯材を被覆して外表面を構成する塩化ビニールの表皮を備えるサンバイザ本体を有する車両用サンバイザの塩化ビニールからなる前記外表面に印刷表示を有している車両用サンバイザの製造方法であって、
　車両用サンバイザの塩化ビニールからなる前記外表面に、印刷表示を印刷した後、該印刷表示に対して電磁波を照射する
　車両用サンバイザの製造方法。」
＜相違点１−１＞
「印刷表示を有している」対象、及び、「印刷表示を印刷」する対象が、本件特許発明１では、「発泡芯材と前記発泡芯材を被覆して外表面を構成する塩化ビニールの表皮を備えるサンバイザ本体を有する車両用サンバイザの組立完成体の塩化ビニールからなる前記外表面」であって、「発泡芯材は、発泡ビーズを発泡成形して凹凸が発生した発泡芯材であ」ること、及び、「車両用サンバイザの組立完成体の塩化ビニールからなる前記外表面」であるのに対して、甲１発明では、「芯材５とその芯材５の表面を被覆するポリ塩化ビニルからなる表皮材４とを備えて構成されているバイザ本体を備える車両用サンバイザ１の、ポリ塩化ビニルからなる表皮材４の外表面」、及び、「車両用サンバイザ１のバイザ本体を構成している、ポリ塩化ビニルからなる表皮材４の外表面」である点。
＜相違点１−２＞
「印刷表示」を行う手段及び「該印刷表示に対して電磁波を照射する」ことに関して、本件特許発明１では、「アクリル酸エステル４０〜６０％、二アクリル酸ヘキサメチレン３０〜３５％、光重合開始剤１０〜１５％であって、残部が顔料、添加剤である紫外線硬化インクを直接噴射するインクジェット印刷方式を用いて、印刷表示を印刷した後、該印刷表示に対して紫外線を照射する」のに対して、甲１発明では、「トナーを静電印刷方法を用いて、印刷表示として付着させた後、該印刷表示に近赤外線を非接触にて照射してトナーを溶着させる」点。
（３）判断
　以下、相違点について検討する。
ア　相違点１−１について
（ア）
　車両用サンバイザに対して、注意書き（コーション）等の印刷表示を印刷をする場合に、印刷をする対象は、本件特許発明１も甲１発明も、「芯材と前記芯材を被覆して外表面を構成する塩化ビニールの表皮を備えるサンバイザ本体を有する車両用サンバイザの塩化ビニールからなる前記外表面」であるから、印刷対象となる外表面が、サンバイザ本体を有する車両用サンバイザの塩化ビニールからなる外表面である点では、格別に相違するものではない。また、甲１発明の「サンバイザ本体」は、組立完成体となった場合の主要部品であり、サンバイザ本体は、車両用サンバイザの基本的形状をなしているといえるから（本件特許明細書の段落【００２２】）、甲１発明の「サンバイザ本体」と、本件特許発明１の「サンバイザ本体を有する車両用サンバイザの組立完成体」とは、基本的形状（全体的な寸法や形など）が共通しているといえる。
　これらのことから、印刷をする対象として、サンバイザ本体の外表面を選択するか、サンバイザ本体を有する車両用サンバイザの組立完成体の外表面を選択するかは、当業者が必要に応じて適宜に選択し得る程度のものといえる。 
（イ）
　また、サンバイザ本体として、発泡ビーズを発泡成形した発泡芯材と当該発泡芯材を被覆して外表面を構成する塩化ビニールの表皮とを備えているものは、甲第４０〜４２号証（甲第４０号証（上記２（１３）（４０ａ））、甲第４１号証（上記２（１４）（４１ａ））、及び、甲第４２号証（上記２（１５）（４２ａ）及び（４２ｂ）））に示すように、周知技術であり、この発泡芯材は、発泡ビーズを発泡成形して、凹凸が発生しているといえる（甲第３４号証（上記２（１１）（３４ａ）〜（３４ｄ）））。
（ウ）
　そうすると、上記周知技術を、甲１発明に適用することで、甲１発明の「芯材５とその芯材５の表面を被覆するポリ塩化ビニルからなる表皮材４とを備えて構成されているバイザ本体」を、「発泡ビーズを発泡成形して凹凸が発生した発泡芯材と前記発泡芯材を被覆して塩化ビニールの表皮を備えるサンバイザ本体」として構成し、「印刷表示を印刷」する対象として、甲１発明の「車両用サンバイザ１のバイザ本体を構成している、ポリ塩化ビニルからなる表皮材４の外表面」に代えて、「サンバイザ本体を有する車両用サンバイザの組立完成体の塩化ビニールからなる外表面」を適宜に選択することは、格別に困難なことではない。
　そして、この結果、「印刷表示を印刷」する対象として、適宜に選択された「外表面」は、「発泡芯材と前記発泡芯材を被覆して外表面を構成する塩化ビニールの表皮を備えるサンバイザ本体を有する車両用サンバイザの組立完成体の塩化ビニールからなる前記外表面」となり、「発泡芯材は、発泡ビーズを発泡成形して凹凸が発生した発泡芯材」であるといえるから、本件特許発明１の「印刷表示を印刷」する対象の「車両用サンバイザの組立完成体の塩化ビニールからなる前記外表面」でもあり、「印刷表示を有している」対象の「外表面」でもあるといえる。
　したがって、上記周知技術を甲１発明に適用し、印刷対象（塩化ビニールからなる外表面）の態様を適宜に選択するととで、上記相違点１−１に係る本件特許発明１の構成に到ることは、当業者が容易になし得たといえる。
イ　相違点１−２について
（ア）
　甲１発明は、溶剤を使用せずに
非接触の印刷法を用いる
ポリ塩化ビニルとして形成され
凹凸が多い
表皮材４であっても、表示部６をきれいに仕上げることができる
凹凸が表皮に表れるとしても、インクジェット印刷方式を用いることにより、非接触状態をもってその表皮の外表面に印刷表示を適切に印刷できる。
塩化ビニール製表皮が用いられる
（イ）
　上記２（１）ア（１ｇ）及び（１ｈ）を参照すると、甲１発明には、熱の影響による表皮材４の変形等を考慮し、それを防止するための印刷法が採用されているといえる。
（ウ）
　上記２（１）ア（１ｉ）には、甲１発明の印刷を実施する際に、印刷の対象となる表皮材４と相性の良いトナー（すなわち、インク材料）を選択することが好ましいことが示されている。
（エ）
　種々の印刷方法のうち、静電印刷法、インクジェット印刷法等の非接触の印刷法が、車両内装等を含めた種々の技術分野において用いられているところ（甲第２号証（上記２（２）（２ａ）及び（２ｂ））及び甲第３号証（上記２（３）（３ａ）及び（３ｂ）））、参加人（審判請求人）の口頭審理陳述要領書に添付された甲第９−１０号証及び甲第２０−２３号証（上記２（５）〜（１０））によれば、本件特許出願時に、非接触の印刷法として、紫外線硬化インクを用いたインクジェット印刷法は、すでに一般に広く採用されていた印刷法であり、技術常識であったといえる。
（オ）
　また、近赤外線は赤外線の区分を示すものであり、可視光線に波長が近い区分の赤外線を近赤外線として区分しており（以下、近赤外線も含めて単に「赤外線」という。）、赤外線は熱を伝えやすく紫外線は化学作用を誘発しやすい性質を備えており、赤外線を照射すればよく加熱され、赤外線の照射に比べて紫外線を照射すれば加熱の影響が少ないことは、技術常識である。
（カ）
　ここで、甲第４号証の１〜４（以下、まとめて「甲第４号証」という。）に記載の紫外線硬化インクＬＨ−１００の材料成分は、本件特許発明１の紫外線硬化インクの材料成分と同一であるところ（本件の実施例とも完全に一致するところ）、甲第４号証の化学物質等安全データシートを作成する意味は、製造・流通・販売を行う場合の危険物の取り扱いの注意喚起にあるといえるものであり、当該化学物質等安全データシートが、本件特許出願の概ね半年前には作成されていたことを併せて考慮すると、紫外線硬化インクＬＨ−１００は、本件特許出願前に、インクジェット印刷用のインクとして周知のインクであったといえる。
　このことは、甲第６号証には、ＵＶ硬化インクジェットプリンタＪＦＸ-１６１３のインクの種類として、ＵＶ硬化インクＬＨ−１００（C、M、Y等）が記載されており、２００９年５月１２日付けのニュースリリース用の書類である甲第７号証には、ＵＶ硬化インクジェットプリンタＪＦＸ-１６１３を５月１４日から出荷開始する旨が記載されており、さらに、甲第３５号証（上記２（２）（１２））には、ＵＶ硬化インクジェットプリンタＪＦＸ-１６１３に一部の部品を装着したものと変わらぬ仕様のＵＶ硬化インクジェットプリンタであり、ＵＶ硬化インクＬＨ−１００（C、M、Y等）を使用している、ＵＶ硬化インクジェットプリンタＪＦＸ-１６１３plusが展示されていたといえる展示会の開催期間（２０１０年１０月５〜８日）が記載されており、これら甲第６〜７及び３５号証の記載からみても明らかである。
（キ）
　甲１発明と本件特許発明１とは、非接触の印刷法による作用効果（本件特許明細書の【０００３】及び【０００９】、並びに、上記（ア））を維持しつつ、表皮材（塩化ビニール）に対する熱の影響による変形等を防止する（本件特許明細書の【０００５】及び【００１０】、並びに、上記（イ））という課題においても共通する部分があるところ、甲１発明において、当業者が、溶剤を使用せずに作業性の改善を目指し、当該課題を解決しようと、非接触の印刷法に用いるインクの材料として、さらに熱の影響が少ない材料や表皮材と相性の良い材料（上記（ウ））を選定しようと試みる動機付けは充分に存在するといえるし、当該材料の選定を試みる際に、上記（オ）の技術常識から、インクの定着のために、化学作用を誘発しやすく加熱の影響が少ない紫外線に着目することで、赤外線を用いて溶着させるトナー（粉末インク）よりも熱の影響が少なく表皮材と相性も悪くない紫外線硬化インクを採用しようとする動機付けも充分に存在するといえる。
（ク） 
　以上によれば、甲１発明において、非接触の印刷法に用いることができ熱の影響が少ないインクとして、赤外線を照射することで溶着させるトナーに代えて、紫外線硬化インクとして本件特許出願前に周知であった、甲第４号証に記載の紫外線硬化インクＬＨ−１００（上記（カ））を適宜に選択し、当該インクの印刷法として、甲第４号証にも記載されており、非接触の印刷法として技術常識である、紫外線硬化インクを直接噴射するインクジェット印刷法（上記（エ））を採用することで、上記相違点１−２に係る本件特許発明１の構成に到ることは、当業者が容易になし得たといえる。
ウ　本件特許発明１の作用効果について
（ア）
　塩化ビニールが熱の影響を受けやすい材料であることは技術常識であり、紫外線は赤外線よりも熱を伝えにくいから（上記イ（オ））、甲１発明の塩化ビニールに、非接触のインクジェット印刷法によって、甲第４号証に記載の紫外線硬化インクＬＨ−１００を適用すれば、非接触の印刷法による凹凸にも印刷できるという作用効果を維持しつつ、紫外線の照射によって表皮材・塩化ビニールに対する熱の影響による変形等を充分に防止できるという作用効果が得られ、その結果、凹凸が発生した発泡芯材を被覆して外表面を構成する塩化ビニールの表皮（凹凸の影響があるといえる。）に的確に印刷できるという作用効果が得られるということは、当業者の予測の範囲内のものであり、格別な作用効果ということはできない。
　また、速乾性・生産性が向上するという作用効果は、インクジェット印刷法で紫外線硬化インクを採用することで得られるものであって、当該作用効果も、当業者の予測の範囲内のものであり、格別な作用効果ということはできない。 
（イ）
　甲第４号証に記載の紫外線硬化インクＬＨ−１００という特定の材料を、インクジェット印刷法という特定の印刷法により、甲１発明の塩化ビニールという特定の材質に印刷をすることで、予測できない格別な効果が得られることについては、本件明細書等には記載されていないし、被請求人の提出した証拠を精査しても、明確な根拠は得られない。
（ウ）
　上記（ア）及び（イ）から、本件特許発明１が奏する作用効果は、いずれも、甲１発明、甲第１〜４号証に記載の技術事項、周知技術及び技術常識から予測できる程度のものであり、顕著な作用効果ということはできない。
エ　被請求人の主張について
（ア）
　被請求人が平成２７年５月２２日付け審判事件答弁書（以下、「答弁書１」という。）等で主張する容易想到性（上記第５　２（１）〜（４）等）の可否については、上記ア〜ウで述べたとおりであるが、以下、さらに補足する。 
　上記第５　２（２）において「甲第１号証に記載された発明は、加熱する構成を備える発明であり、・・・インクジェット印刷法を採用したと仮定しても、当然に、その時に選ばれるインクは熱硬化型インクであると解されるべきである。」と被請求人は主張する。 
　甲１発明は、加熱が必要なトナーを用いているから、加熱する構成を備える発明といえるものの、熱の影響による印刷対象の変形等に着目し、できる限り熱の影響を避けようともする発明であり（上記２（１）ア（１ｈ））、印刷対象として塩化ビニールを選択しているものである。
　塩化ビニールが熱の影響を受けやすい材料であるという技術常識を考慮すると、当業者であれば、甲１発明において、塩化ビニールの熱による変形を防止することを重要視することは自然なことである。
　そして、甲１発明において、さらに熱の影響を軽減するために、周知の紫外線硬化インクを適宜に選択し得たことは、上記イ（キ）（ク）で述べたとおりであるから、被請求人の上記主張は採用できない。 
（イ）
　平成２８年５月３１日付け上申書（以下、「答弁書２」という。）及び平成２８年１１月２日付け審判事件答弁書（以下、「答弁書３」という。）で被請求人が主張する「トナーを使用している印刷方法をトナーを使用しない印刷方法に置換することには阻害要因がある」旨（上記第５　２（５）、（７）及び（９））については、以下のとおりである。
　甲１発明は、「定着液は、・・・溶剤であった。そのため・・・定着液（溶剤）の飛散を防止したり、・・・定着液（溶剤）の保管方法を工夫する必要があって、作業性が悪いなどの問題があった。」ことに鑑み、「溶剤を使用せずに表皮材に表示部を形成することが可能な車両用サンバイザの製造方法を提供すること」（上記２（１）ア（１ｃ））を課題とするものであり、その解決手段として、非接触の印刷法、すなわち、「トナーを静電印刷方法を用いて、印刷表示として付着させた後、該印刷表示に近赤外線を非接触にて照射してトナーを溶着させる」ことで、溶剤を必要としないため、「溶剤の飛散を防止し・・・溶剤を保管するなどの作業が不要であって、容易に車両用サンバイザを製造できる。また消耗材となる溶剤を不要とするため、製造コストを安くすることも可能である。」（上記２（１）ア（１ｊ））、「表皮材４の表面に凹凸が多い」「シボを有する表皮材４であってもにじみが発生しにくく、表示部６をきれいに仕上げることができる。」（上記２（１）ア（１ｊ））、「表皮材４を耐溶剤性の弱い材質によって成形することも可能である。」（上記２（１）ア（１ｉ））、「芯材５の材質を耐溶剤性の弱いものにすることも可能である。」（上記２（１）ア（１ｋ））という作用効果を奏する発明であるといえる。
　上記の溶剤に起因する作業性の問題を解決して上記の作用効果を得ることは、生産性を向上させ、かつ、サンバイザ本体が変形することなく、凹凸があっても印刷を明確な状態に仕上げることであるといえる（本件特許発明１と共通するといえる）ところ、甲１発明は、上記のように溶剤を必要としない非接触の印刷手法を採用することが課題を解決するための手段となっているから、非接触の印刷手法を採用することは、課題を解決し作用効果を得るための前提となっているといえる。
　そうすると、甲第１号証に接した当業者は、溶剤を必要としない非接触の印刷手法ないしインク材料の選定を試行錯誤することが自然であり、当業者の通常の創作能力は、甲１発明において、周知の種々の印刷手法（上記２（２）（２ｂ）及び上記２（３）（３ｂ）等）から、溶剤を必要としない非接触の印刷手法と同様の機能・作用を備えている印刷手法を選定することに及ぶといえる。
　また、そもそも、当業者であれば、定着のために溶剤（定着液）を使用することもあるインク（粉末のインク（トナー）など）を選定しなければ、溶剤に起因する問題は解決できると考えるものである。
　したがって、甲１発明において、溶剤を使用しないという課題を解決するために、インク材料として、近赤外線を非接触にて照射して溶着させることで定着させていたトナー（粉末インク）に代えて、紫外線硬化インクを採用し、紫外線を非接触にて照射してインクを定着させること、すなわち、トナーを使用していた印刷方法を、トナーを使用しない印刷方法に置換することに、阻害要因があるとはいえない。
　したがって、上記第５　２（５）及び（７）、並びに、トナーを前提としている（９）の被請求人の主張は、いずれも採用できない。
（ウ）
　答弁書２における「甲第４、６及び７号証からは、本件特許出願前に、紫外線硬化インクＬＨ−１００が周知のインクであったとはいえない」旨（第５　２（６））の被請求人の主張については、以下のとおりである。 
　甲第４、６及び７号証からは、本件特許出願前に、紫外線硬化インクＬＨ−１００が、既に販売されていたことが推認できるのである。特に、甲第４号証は、法律により定められる安全データシートの写しであり、販売などで当該インクを取り扱う第三者は認識することが必要であると考えられる証拠であるといえる。
　さらに、当該インクの出荷の時期（２００９年５月１４日から出荷開始される旨）に関する甲第６及び７号証に併せて、甲第３５号証の展示会の開催期間（２０１０年１０月５〜８日）を参照すれば（上記イ（カ））、紫外線硬化インクＬＨ−１００は、本件特許出願前に既に販売されていた蓋然性が極めて高く、周知のインクであったことは明らかであるから、上記第５　２（６）の被請求人の主張は、採用できない。
（エ）
　答弁書３における「伸縮性を有した材料（塩化ビニル製シート）に対しては、ＬＨ−１００と併記されている伸びに対応しているＬＦ−２００というインクを選択するのが自然である」旨の（第５　２（８））の被請求人の主張については、以下のとおりである。
　ＬＦ−２００は、「２００％伸びる性能があり、成型・曲げ加工をする場合に適して」（甲第１５号証を参照）いるから、極めて変形が大きい部分に用いることを想定しているといえるが、サンバイザの表皮材（塩化ビニル製シート）は、ある程度の伸縮性を有しているとしても、折り曲げたりすることは想定されておらず、成型後に印刷されるものであるから、２００％も伸びる性能のＬＦ−２００というインクを採用することは、必ずしも自然な選択であるとはいえない。
　そして、周知のインクから、どのインクを選定するかは、上記イ（ク）で述べたとおりであるから、第５　２（８）の被請求人の上記主張は採用できない。
４　本件特許発明２と甲１発明との対比・判断
（１）対比
　本件特許発明２と甲１発明とを対比する。
ア
　甲１発明の「芯材５」と、本件特許発明２の「発泡芯材」とは、「芯材」の限りで共通するといえる。
イ
　甲１発明の「ポリ塩化ビニルからなる表皮材４」、「バイザ本体」及び「車両用サンバイザ１」は、それぞれ、本件特許発明２の「塩化ビニールの表皮」、「サンバイザ本体」及び「車両用サンバイザ」に相当する。
ウ
　甲１発明の「外表面」は、「バイザ本体を備える車両用サンバイザ１」の「外表面」であるところ、「車両用サンバイザ１」の「外面」でもあるといえるから、甲１発明の「バイザ本体を備える車両用サンバイザ１」の「外表面」と、本件特許発明２の「車両用サンバイザの組立完成体の前記外表面の一部を構成する前記カバーのカバー外面」又は「前記車両用サンバイザの組立完成体の前記外表面の一部を構成している前記ミラーユニットの前記カバー外面」とは、「車両用サンバイザの外面」の限りで共通するといえる。
エ
　上記ア〜ウから、甲１発明の「芯材５とその芯材５の表面を被覆するポリ塩化ビニルからなる表皮材４とを備えて構成されているバイザ本体を備える車両用サンバイザ１の、ポリ塩化ビニルからなる表皮材４の外表面に印刷表示を有している、車両用サンバイザ１の製造方法」と、本件特許発明２の「ミラーユニットを収容保持する収容凹所が形成された発泡芯材と前記発泡芯材を被覆して外表面を構成する塩化ビニールの表皮を備えるサンバイザ本体と、前記収容凹所に収容保持された外表面の一部を構成するポリプロピレン樹脂のカバーを備える前記ミラーユニットと、を有する車両用サンバイザの組立完成体の前記外表面の一部を構成する前記カバーのカバー外面に印刷表示を有している車両用サンバイザの製造方法」とは、「芯材と前記芯材を被覆して外表面を構成する塩化ビニールの表皮を備えるサンバイザ本体を有する車両用サンバイザの外面に印刷表示を有している車両用サンバイザの製造方法」の限りで共通するといえる。
オ
　上記イ及びウから、甲１発明の「車両用サンバイザ１のバイザ本体を構成している、ポリ塩化ビニルからなる表皮材４の外表面」と、本件特許発明２の「前記車両用サンバイザの組立完成体の前記外表面の一部を構成している前記ミラーユニットの前記カバー外面に対してプライマー処理を行」った「前記カバー外面」とは、「車両用サンバイザの外面」の限りで共通するといえる。
カ
　甲１発明の「該印刷表示に近赤外線を非接触にて照射してトナーを溶着させる」ことと、本件特許発明２の「該印刷表示に対して紫外線を照射すること」とは、それらの技術的意義を踏まえると、印刷表示を定着させるために「電磁波を照射する」ことという限りにおいて共通するといえる。
キ
　上記カから、甲１発明の「トナーを静電印刷方法を用いて、印刷表示として付着させた後、該印刷表示に近赤外線を非接触にて照射してトナーを溶着させる」ことと、本件特許発明２の「アクリル酸エステル４０〜６０％、二アクリル酸ヘキサメチレン３０〜３５％、光重合開始剤１０〜１５％であって、残部が顔料、添加剤である紫外線硬化インクを直接噴射するインクジェット印刷方式を用いて、印刷表示を印刷した後、該印刷表示に対して紫外線を照射すること」とは、「印刷表示を印刷した後、該印刷表示に対して電磁波を照射する」ことという限りにおいて共通するといえる。 
（２）一致点及び相違点
　以上より、本件特許発明２と甲１発明との一致点及び相違点は、次のとおりである。
＜一致点２＞
「芯材と前記芯材を被覆して外表面を構成する塩化ビニールの表皮を備えるサンバイザ本体を有する車両用サンバイザの外面に印刷表示を有している車両用サンバイザの製造方法であって、
　前記車両用サンバイザの外面に、印刷表示を印刷した後、該印刷表示に対して電磁波を照射する
　車両用サンバイザの製造方法。」
＜相違点２−１＞
「印刷表示を有している」対象、及び、「印刷表示を印刷」する対象が、本件特許発明２では、「ミラーユニットを収容保持する収容凹所が形成された発泡芯材と前記発泡芯材を被覆して外表面を構成する塩化ビニールの表皮を備えるサンバイザ本体と、前記収容凹所に収容保持された外表面の一部を構成するポリプロピレン樹脂のカバーを備える前記ミラーユニットと、を有する車両用サンバイザの組立完成体の前記外表面の一部を構成する前記カバーのカバー外面」であり、「前記発泡芯材は、発泡ビーズを発泡成形して凹凸が発生した発泡芯材であ」ること、及び、「前記車両用サンバイザの組立完成体の前記外表面の一部を構成している前記ミラーユニットの前記カバー外面に対してプライマー処理を行」った、「前記カバー外面」であるのに対して、甲１発明では、「芯材５とその芯材５の表面を被覆するポリ塩化ビニルからなる表皮材４とを備えて構成されているバイザ本体を備える車両用サンバイザ１の、ポリ塩化ビニルからなる表皮材４の外表面」であり、芯材５の構成が特定されていないこと、及び「車両用サンバイザ１のバイザ本体を構成している、ポリ塩化ビニルからなる表皮材４の外表面」である点。
 ＜相違点２−２＞ 
「印刷表示」を行う手段及び「該印刷表示に対して電磁波を照射する」ことに関して、本件特許発明２では、「アクリル酸エステル４０〜６０％、二アクリル酸ヘキサメチレン３０〜３５％、光重合開始剤１０〜１５％であって、残部が顔料、添加剤である紫外線硬化インクを直接噴射するインクジェット印刷方式を用いて、印刷表示を印刷した後、該印刷表示に対して紫外線を照射する」のに対して、甲１発明では、「トナーを静電印刷方法を用いて、印刷表示として付着させた後、該印刷表示に近赤外線を非接触にて照射してトナーを溶着させる」点。
（３）判断
　以下、相違点について検討する。 
ア　相違点２−１について
（ア）
　無効理由の証拠方法として提示され、審決の予告で採用した甲第１〜４号証、及び、訂正請求に対して参加人が新たな証拠方法として提出した甲第４０〜４２号証には、以下の技術事項が記載されている。
　（ａ）甲１号証には、甲１発明（上記２（１）イ（オ））が記載されている。
　（ｂ）甲２号証には、上記２（２）（２ａ）〜（２ｄ）を参照すると、極めて多岐に及ぶ選択肢が示されている中の選択肢として、「車両内装等の用途に使用するための化粧材に関するものである」（同（２ａ））こと、「基材シート５としては、ポリプロピレン、ポリ塩化ビニル等を使用することができる」（同（２ｂ）の段落【００２５】）こと、「絵柄層４の基材シート５への密着性を向上するために、絵柄層４の形成の前に基材シート５の表面に予め例えばコロナ放電処理、プラズマ処理又はプライマー処理等の表面処理を施すこともできる」（同（２ｃ））こと、及び、「絵柄層４の形成方法としては、例えばインクジェット印刷法、静電印刷法等の各種の印刷方法を実施することもできる」（同（２ｂ）の段落【００３５】）こと、という技術事項が記載されているといえる。
　（ｃ）甲第３号証には、上記２（３）（３ｂ）を参照すると、「化粧シートは、表面側から順に、透明アクリル系樹脂シート層１１、絵柄印刷インキ層１２、ＡＢＳ樹脂シート層１３、及びＡＢＳ樹脂バッカー層１４が積層されて構成されるもので、必要に応じて、ＡＢＳ樹脂バッカー層１４の裏面に易接着プライマー層を設けたりすることも任意である」（同（３ｂ）の段落【００１１】）こと、「絵柄印刷インキ層１２は、スクリーン印刷法、インクジェット印刷法、静電印刷法等の各種印刷法で形成すればよい」（同（３ｂ）の段落【００１８】）こと、及び、「絵付樹脂成形品は、自動車のフロントパネルやドアパネル、シート裏面材等の各種車両内装材等として、幅広く利用可能である」（同（３ｂ）の段落【００３４】）こと、という技術事項が記載されているといえる。
　（ｄ）甲第４号証には、上記２（４）を参照すると、「インクジェットプリンター用の紫外線硬化インクＬＨ−１００」の技術事項が記載されているといえる。
　（ｅ）甲第４０号証には、上記２（１３）及び図２を参照し、本件特許発明２の記載に則ると、「ミラーユニット４を収容する収容凹部９が形成されたポリプロピレンビーズを発泡成形した発泡芯材２と、前記発泡芯材２を被覆して外表面を構成する塩化ビニールの表皮部材３を備えるサンバイザ本体１と、前記収容凹部９に収容された外表面の一部を構成するミラーカバー７を備える前記ミラーユニット４と、を有する車両用サンバイザの組立完成体の前記外表面の一部を構成する前記ミラーカバー７のカバー外面」という技術事項が記載されているといえる。
（ｆ）
　甲第４１号証（上記２（１４））又は甲第４２号証（上記２（１５）（４２ａ））には、ミラーユニットを、サンバイザ本体に形成したミラーユニット収容凹部に収容する技術事項が記載されているといえる。
（イ）
　ところが、本件特許発明２が備える「ポリプロピレン樹脂のカバーを備えるミラーユニット」という発明特定事項は、上記（ア）の各甲号証のいずれにも記載されていない。
　また、当該発明特定事項は、他のいずれの甲号証にも記載も示唆もされておらず、当該発明特定事項が、公知技術ないし周知技術といえる根拠は示されていない。
（ウ）
　このように、印刷表示を印刷する対象（「ポリプロピレン樹脂のカバーを備えるミラーユニット」の「ポリプロピレン樹脂のカバー」）自体が存在していないのであるから、甲１発明において、印刷表示を印刷する対象として、ミラーユニットのポリプロピレン樹脂のカバー外面を選択する動機付けは無いといえる。
（エ）
　さらに、技術分野を問わない一般の技術として、「基材シートとしてポリプロピレン樹脂を使用する」（上記２（２）（２ｂ）の段落【００２５】）こと、印刷する対象の「基材シートにプライマー処理を施す」（上記２（２）（２ｃ））こと、及び、「化粧シート」に関して「易接着プライマー層を設けたりすることも任意である」（上記２（３）（３ｂ）の段落【００１１】）ことが、いずれも周知技術であり、かつ、サンバイザにおいてミラーユニットを備えることが周知技術であるといえること（上記（ア）（ｅ）及び上記（ｆ）並びに上記２（１３）〜（１５）等）から、甲１発明のサンバイザに、カバーを備えるミラーユニットの技術事項（上記（ア）（ｅ）及び上記２（１３））を適用することが容易になし得えたとしても、甲１発明にカバーを備えるミラーユニットの技術事項を適用した上に、そのカバーの材料としてポリプロピレン樹脂を採用し、さらにその上に、その（特定の材質の）ポリプロピレン樹脂のカバーに対して、プライマー処理を行う周知技術を適用して、また、さらにその上に、（特定のインクの）印刷の技術事項を適用することは、適用の論理付けに飛躍があり、当業者が容易になし得えたとはいえない。
（オ）
　以上のとおり、本件特許発明２が備える「ポリプロピレン樹脂のカバーを備えるミラーユニット」という発明特定事項が、公知技術ないし周知技術であるという根拠は存在しておらず、甲１発明において、印刷表示を印刷する対象として、当該発明特定事項を選定し得る動機付けも無く、上記相違点２−１に係る本件特許発明２の構成を想到するために、公知技術ないし一般的な周知技術を併せて適用することには、適用の論理付けに飛躍があるといえるから、甲１発明において、上記相違点２−１に係る本件特許発明２の構成を、当業者が容易になし得えたとはいえない。
（カ）
　なお、ポリプロピレン樹脂という材料と、その材料に対するプライマー処理と、そこにＬＨ−１００という紫外線硬化インクを用いて印刷するという特定の組み合わせは、いずれの甲号証にも記載されておらず、サンバイザの技術分野に限らずとも、当該特定の組み合わせが、公知技術ない周知技術であるといえる根拠も無い。
５　小括
　上記１〜３で述べたとおりであるから、本件特許発明１は、その出願前日本国内において頒布された刊行物（甲第１号証）に記載された発明（甲１発明）、甲第２〜４号証に記載の技術事項、周知技術及び技術常識に基いて、その出願前にその発明の属する技術の分野における通常の知識を有する者が容易に発明をすることができたものであるから、特許法第２９条第２項の規定により特許を受けることができない。
　また、上記１、２及び４で述べたとおりであるから、本件特許発明２は、その出願前日本国内において頒布された刊行物（甲第１号証）に記載された発明（甲１発明）、甲第２〜４号証に記載の技術事項、周知技術及び技術常識に基いて、その出願前にその発明の属する技術の分野における通常の知識を有する者が容易に発明をすることができたものであるとはいえないから、特許法第２９条第２項の規定により特許を受けることができないとはいえない。
 第７　むすび
　以上のとおり、訂正は認容する。
　本件特許発明１は、特許法第２９条第２項の規定により特許を受けることができないから、本件特許発明１の特許は、特許法第１２３条第１項第２号に該当し、参加人の主張する無効理由によって無効とすべきものである。
　また、本件特許発明２の特許は、参加人の主張する無効理由及び提出した証拠方法によっては、無効とすることはできない。
　審判に関する費用については、特許法第１６９条第２項の規定で準用する民事訴訟法第６１条の規定により、その２分の１を請求人の負担とし、その２分の１を被請求人の負担とすべきものである。
　よって、結論のとおり審決する。